(57)【特許請求の範囲】
【請求項１】
水分散性を有するシート状部材の一端部から所定距離離間した位置であって、管状を形成した際に内壁側となる面の前記位置に撥水剤を塗布し、前記一端部が毛細管現象を発現可能な内径の開口を形成するように前記シート状部材を巻回してなる毛細管。
【請求項２】
前記所定距離及び前記内径は、試料の採取量に応じて設定される請求項１記載の毛細管。
【請求項３】
前記シート状部材は、略矩形形状を有する第１の領域と、略矩形形状を有し前記第１の領域よりも小さい第２の領域を有し、
前記撥水剤は、前記第１の領域と前記第２の領域との境界に塗布され、
前記第２の領域の一端部が毛細管現象を発現可能な内径の開口を形成するように前記シート状部材を巻回してなる請求項１記載の毛細管。
【請求項４】
前記第２の領域における前記一端部から前記境界までの距離、及び、前記内径は、試料の採取量に応じて設定される請求項３記載の毛細管。
【請求項５】
水分散性を有するシート状部材の一頂点から所定距離離間した位置であって、管状を形成した際に内壁側となる面の前記位置に撥水剤を塗布し、前記一頂点が頂点となり、かつ、先端部が毛細管現象を発現可能な内径を有する円錐を形成するように前記シート状部材を巻回してなる毛細管。
【請求項６】
前記所定距離及び前記内径は、試料の採取量に応じて設定される請求項５記載の毛細管。
【請求項７】
前記一端部から前記撥水剤が塗布される位置までの間を試料保持部とする請求項１乃至４のいずれかに記載の毛細管を具備する試料採取具。
【請求項８】
前記先端部から前記撥水剤が塗布される位置までの間を試料保持部とする請求項５又は６に記載の毛細管を具備する試料採取具。
【請求項９】
前記毛細管の他の端部と嵌合可能な挿嵌穴と、液体を吐出させるための吐出口とを有する注入具をさらに具備する請求項７記載の試料採取具。
【請求項１０】
前記吐出口へ通じる空間を満たすように設けられ、前記吐出口と対向する面とは逆の面に前記挿嵌穴が設けられる多孔体をさらに具備する請求項９記載の試料採取具。
【請求項１１】
前記多孔体と前記吐出口との間に設けられ、体外診断薬を含有する試薬シートをさらに具備する請求項１０記載の試料採取具。
【請求項１２】
可撓性を有する透明部材からなる容器を具備し、請求項９乃至１１のいずれかに記載の注入具を蓋として前記容器と嵌着させてなる試料採取器。
【発明の詳細な説明】
【技術分野】
【０００１】
本発明の実施形態は、血液及び体液等の試料を吸引する毛細管、並びに、この毛細管を用いる試料採取具、及び試料採取器に関する。
【背景技術】
【０００２】
近年、ＰＯＣＴ（Point Of Care Testing：臨床現場での即時検査）の需要が増えてきている。ＰＯＣＴでは微量の血液等の試料を採取し、採取した試料を検査する。採血デバイスは、円筒状の樹脂又はガラス製のキャピラリ（毛細管）を備える。採血デバイスの操作者は、毛細管の一端を血液又は体液等の試料に接触させ、毛細管現象により試料を吸引する。従来技術では、操作者は、適当な量の試料を吸引したと目視により判断すると、採血デバイスの他端を指で押えること等により、吸引を完了させ、一定量の試料を採取する。
【０００３】
試料採取量が少ない程、試薬量を減少させることができるため、ＰＯＣＴでは微少量の試料を正確に採取することが望まれている。しかしながら、試料の採取量が微量（例えば、１〜５０μｌ）になると、樹脂又はガラス製のキャピラリを備える採血デバイスでは、目盛等により目視の精度を向上させる仕組みがついていても、操作者による採取量の誤差が大きい。
【先行技術文献】
【特許文献】
【０００４】
【特許文献１】特開２００６−２３４４４６号公報
【特許文献２】特開２０１２−２６９９７号公報
【発明の概要】
【発明が解決しようとする課題】
【０００５】
目的は、操作者の特別な操作がなくても、予め設定される微量な量の試料を吸引することが可能な毛細管、並びに、この毛細管を用いる試料採取具、及び試料採取器を提供することにある。
【課題を解決するための手段】
【０００６】
実施形態によれば、毛細管は、水分散性を有するシート状部材の一端部から所定距離離間した位置に撥水剤が塗布され、前記一端部が毛細管現象を発現可能な内径の開口を形成するように前記シート状部材が巻回されてなる。
【図面の簡単な説明】
【０００７】
【図１】図１は、第１の実施形態に係る試料採取器を示す図である。
【図２】図２は、図１に示される試料採取器の分解図である。
【図３】図３は、図１に示される試料採取器の断面を示す図である。
【図４】図４は、図２に示される毛細管を形成するシート状部材を示す図である。
【図５】図５は、試料採取具により血液を採取する様子を示す図である。
【図６】図６は、図５に示される毛細管が吸引した試料を容器に収容される希釈液に溶出させる様子を示す図である。
【図７】図７は、図６に示される試料採取器を攪拌する様子を示す図である。
【図８】図８は、図４に示されるシート状部材のその他の例を示す図である。
【図９】図９は、図８に示されるシート状部材を巻き回してなる毛細管の断面を示す図である。
【図１０】図１０は、図４に示されるシート状部材のその他の例を示す図である。
【図１１】図１１は、図１０に示されるシート状部材を巻き回してなる毛細管の断面を示す図である。
【図１２】図１２は、図４に示されるシート状部材のその他の例を示す図である。
【図１３】図１３は、図１２に示されるシート状部材を巻き回してなる毛細管の断面を示す図である。
【図１４】図１４は、第２の実施形態に係る毛細管の例を示す図である。
【図１５】図１５は、図１４に示される毛細管を形成するシート状部材を示す図である。
【図１６】図１６は、図１５に示されるシート状部材が巻き込まれる様子を示す図である。
【発明を実施するための形態】
【０００８】
以下、実施の形態について、図面を参照して説明する。
【０００９】
（第１の実施形態）  
図１は、第１の実施形態に係る試料採取器１の例を示す模式図である。図２は、図１に示される試料採取器１の分解図である。図２に示される試料採取器１は、毛細管１０、注入具２０及び容器３０を具備する。図３は、図１に示される試料採取器１の断面を示す模式図である。
【００１０】
毛細管１０は、上端が注入具２０に固定された際に、容器３０に収容可能な程度の長さを有する。毛細管１０の長さについては後述する。毛細管１０は、図４に示されるように、略矩形に成形されたシート状部材が、シート状部材の上端が毛細管１０の上端となり、かつ、シート状部材の下端が毛細管１０の下端となるように巻き回されてなる。シート状部材は、水分散性を有する物質、例えば、紙である。シート状部材は、毛細管１０が試料を吸引する様子、及び、シート状部材が試料を吸引する様子が透けて見えるように、極力薄い素材からなる。シート状部材の巻数は、毛細管１０が試料を吸引する様子、及び、シート状部材が試料を吸引する様子が透けて見えるように、１〜２巻程度が好ましい。
【００１１】
シート状部材は、毛細管１０の下端を形成するシート状部材の端部から所定の距離だけ離間した位置に撥水剤により線１１が引かれる。撥水剤による線を以下では撥水ライン１１と称する。撥水ライン１１は、墨壺のようなデバイスを用いてシート状部材に書かれてもよいし、印刷機によりシート状部材に印刷されてもよい。
【００１２】
撥水ライン１１は、上記シート状部材の端部に対して平行となるように引かれるのが望ましい。上記シート状部材の端部に対して平行となるように撥水ライン１１を引くことで、毛細管１０の軸方向と垂直方向に、シート状部材に引かれた撥水ライン１１が重なることとなる。撥水ライン１１は、シート状部材の面のうち、毛細管１０の内壁側の面のみに引かれてもよいし、両側の面に引かれてもよい。
【００１３】
なお、撥水剤は、必ずしもシート状部材に線状に塗布される必要はない。例えば、撥水剤は、撥水ライン１１が引かれる位置から、毛細管１０の上端となるシート状部材の端部までの領域全体に塗布されても構わない。このとき、撥水剤は、シート状部材の面のうち、毛細管１０の内壁側の面のみに塗布されてもよいし、両側の面に塗布されてもよい。
【００１４】
シート状部材は、毛細管１０が所定の内径を有するように巻き回される。内径は、毛細管１０における試料保持部により保持される試料の量が、使用者が所望する量を満たすように決定される。試料保持部は、毛細管１０の下端から撥水ライン１１までの部分を指す。試料保持部は、毛細管１０による毛細管現象と、シート状部材そのものによる毛細管現象とを利用して試料を保持する。内径は、毛細管１０の下端から撥水ライン１１までの高さ、毛細管１０の下端から撥水ライン１１までのシート状部材が保持可能な試料の量、及び、操作者が採取を希望する試料の量に基づいて決定される。なお、撥水ライン１１が引かれる端部からの距離は、採取する試料の量に応じて変化させることも可能である。  
撥水ライン１１から毛細管１０の上端までの部分を、操作者が把持可能な把持部とする。
【００１５】
図５は、毛細管１０及び注入具２０を有する試料採取具により血液を試料として採取する際の模式図を示す。使用者は、毛細管１０の下端を血液に接触させる。毛細管１０は、血液を毛細管１０内及びシート状部材内に吸引する。シート状部材は薄い素材であるため、使用者は、血液が毛細管１０の下端から浸潤する様子を観察することが可能である。血液が毛細管１０の下端から撥水ライン１１まで吸引されると、それ以上は吸引されない。使用者は、血液が撥水ライン１１まで達すると、毛細管１０を血液から離す。
【００１６】
注入具２０は、嵌着部２１、フィルタ２２、つば２４、試薬シート２５及び吐出口２６を有する。
【００１７】
嵌着部２１は、注入具２０を容器３０に挿入する際に、容器３０の内壁面３３に嵌合する。嵌着部２１の内周空間には、内周空間の断面を満たすように多孔質のフィルタ２２が備えられる。フィルタ２２は、例えば、内周空間に圧入される。
【００１８】
フィルタ２２には、毛細管１０を固定するための挿嵌穴２３が設けられる。挿嵌穴２３は、例えば、フィルタ２２の中央に、締まりばめとなるように、円錐台の穴として設けられる。このとき、円錐台の上面に相当する穴の直径は毛細管１０の外径よりも少し小さく、円錐台の下面に相当する穴の直径は毛細管１０の外径よりも少し大きくすることが望ましい。こうすることで、フィルタ２２に毛細管１０を嵌めやすく、かつ、フィルタ２２により毛細管１０を十分に把持することが可能となる。  
嵌着部２１の内周空間における、吐出口２６とフィルタ２２との間の空間には、試料中の特定成分と反応する体外診断薬を含有する試薬シート２５が保持される。
【００１９】
つば２４は、注入具２０を容器３０に挿入する際に、容器３０の上面３２と当接する。注入具２０は、嵌着部２１とつば２４とにより容器３０に嵌着し、蓋として容器３０を密閉する。  
吐出口２６は、液体を吐出させるための口である。吐出口２６は、例えば、毛細管１０の中心軸の略延長線上に設けられる。
【００２０】
容器３０は、例えば、樹脂からなり、可撓性を有する。容器３０は、透明である。容器３０は、上部が開口した開口部３１を有し、有底である。容器３０は、希釈液を収容する。容器３０は、注入具２０により密閉され、吐出口２６のみで外部大気に解放される。
【００２１】
図６は、図５に示される毛細管１０が吸引した試料を容器３０に収容される希釈液に溶出させる際の模式図を示す。図６に示されるように、試料が希釈液と混ざりやすくするため、撥水ライン１１は、希釈液の液面に触れる程度の高さに位置することが望ましい。希釈液の液面に撥水ラインがちょうど達するように、フィルタ２２に設ける挿嵌穴２３の深さ、毛細管１０の長さ、又は、これらの両方を調節する。なお、希釈液の液面に撥水ラインがちょうど達するよう、予め試料採取器１を設計しても良い。
【００２２】
図７は、図６に示される試料採取器１を攪拌する際の模式図を示す。図７に示されるように、可撓性の容器３０越しに試料採取器１をつまみながら揉むと、毛細管１０から試料が溶出する。毛細管１０を形成するシート状部材は水分散性を有するため、毛細管１０から試料が溶出すると共に、希釈液に浸された毛細管１０が希釈液に分散する。
【００２３】
試料採取器１を上下反転させて容器３０に両側から押圧を与えると、希釈液に分散した毛細管１０の材料である水分散性紙は、フィルタ２２で捉えられる。フィルタ２２で濾過された後、希釈液に溶出した試料は、試薬シート２５に含まれる体外診断薬と混合され、吐出口２６から吐出される。
【００２４】
以上のように、第１の実施形態では、試料採取器１は、水分解性を有するシート状部材を、毛細管現象を発現可能な程度の内径に巻き回してなる毛細管１０を備える。そして、シート状部材は、試料を吸引する様子が透けて見える程度に薄い素材からなるようにしている。これにより、毛細管１０が試料を吸引する際、吸引した試料により毛細管１０が染色されることとなり、試料採取器１の操作者は、試料の吸引状況及び吸引量を目視で確認することが可能となる。
【００２５】
また、シート状部材は、下端から所定距離だけ離間した位置に撥水剤が塗布されるようにしている。これにより、毛細管１０による試料の吸引は撥水剤が塗布された位置で自動的に停止するため、操作者は、試料の吸引を終了させるための特別な作業が不要となる。
【００２６】
したがって、第１の実施形態に係る毛細管１０は、単純な構造で、操作者の特別な操作がなくても、予め設定される微量な量の試料を自動的に吸引することができる。また、この毛細管を用いる試料採取具、及び試料採取器についても、操作者の特別な操作がなくても、予め設定される微量な量の試料を自動的に吸引することができる。
【００２７】
また、第１の実施形態に係る毛細管１０では、毛細管１０の上端から撥水剤を塗布した位置までが把持部として扱われる。近年、採取量に合わせた内径及び長さを有する毛細管に柄等の支持部を装着させた採血デバイスが提案されている。本採血デバイスによれば、操作者による採取量の誤差を抑制することが可能であるが、以下のような問題もある。すなわち、例えば、毛細管により１．０μｌの血液又は体液等の試料を採取する場合、毛細管の直径を１ｍｍとすると、毛細管の長さは１．２８ｍｍとなる。さらに、毛細管により０．５μｌの試料を採取する場合、毛細管の直径を１ｍｍとすると、毛細管の長さは０．６４ｍｍとなる。このため、柄等の支持部を毛細管に装着することが困難となる。第１の実施形態に係る毛細管１０によれば、撥水剤を塗布したシート状部材を巻き回すことで、試料保持部と把持部とを設けるようにしている。これにより、採取量に関わらず、操作者が手で扱いやすい大きさの把持部を設けることが可能となる。
【００２８】
また、第１の実施形態では、毛細管１０により吸引した試料を容器３０に収容される希釈液に溶出させると共に、毛細管１０自身を希釈液に分散させるようにしている。ところで、樹脂又はガラス製の毛細管を使用する従来の採血デバイスでは、毛細管内に取り込まれた試料を希釈液に溶出する際に以下の処理のうち少なくともいずれかを実施する必要がある。すなわち、希釈液内での拡散を待つ、毛細管内に強制的に希釈液の水流を起こすように採血デバイスを振る、及び、試料を吸引していない端にスポイト状のデバイスを装着し、毛細管内にこのデバイスにより圧を掛けて試料を押し出す等である。第１の実施形態に係る毛細管１０によれば、毛細管１０自身の分散と共に、毛細管１０により吸引した試料が希釈液に溶出されることとなる。これにより、試料採取器１は、吸引した試料を簡単、安全、かつ、均一に希釈液に溶出することが可能となる。
【００２９】
また、第１の実施形態では、試料採取器１は、注入具２０の嵌着部２１の内周空間にフィルタ２２を設けるようにしている。これにより、試料が溶出された希釈液を吐出口２６から吐出する際、希釈液中に分散されたシート状部材をフィルタ２２により捉えることが可能となる。したがって、第１の実施形態に係る試料採取器１によれば、試料を採取する際の操作者による処理が軽減されることとなる。
【００３０】
また、第１の実施形態に係る試料採取器１は、注入具２０の吐出口２６とフィルタ２２との間の空間に、試薬シート２５を保持するようにしている。これにより、試料が溶出された希釈液に試薬を混合させる必要がなくなる。したがって、第１の実施形態に係る試料採取器１によれば、試料を採取する際の操作者による処理がより軽減されることとなる。
【００３１】
なお、上記では、毛細管１０が図４に示されるシート状部材からなる場合を例に説明した。しかしながら、これに限定されない。毛細管は、例えば、図８、図１０及び図１２に示されるシート状部材からなるようにしてもよい。
【００３２】
図８は、図４に示されるシート状部材のその他の例を示す図である。図８に示されるシート状部材は、所定の大きさの略矩形の領域１に加え、毛細管の高さ方向にＨ１、及び、円周方向にＬ１の領域２を含む。図８では、具体例として、シート状部材がＬ型に成形される場合を示す。図８において、領域１の端部、及び、領域１と領域２との境界に撥水ラインが引かれる。なお、領域１の全体に撥水剤が塗布されてもよい。
【００３３】
図９は、図８に示されるシート状部材を、領域２が存在するのと反対側の端部から、すなわち図８に示される左側から巻き回してなる毛細管４０の断面を示す模式図である。図８及び図９において、毛細管４０に吸引される試料の採取量は、高さＨ１及び幅Ｌ１から求められる。例えば、領域２が２巻されて毛細管４０が作成される場合、毛細管４０のうち、領域２により形成される管の内径ｄ１は、幅Ｌ１を用いて、ｄ１＝Ｌ１／２πとなる。これにより、毛細管４０に吸引される試料の採取量は、領域２の端部から撥水ライン４１までの高さＨ１を用い、（Ｌ１２・Ｈ１）／１６πとなる。また、図９に示される毛細管４０によれば、領域１により形成される管の巻数は、領域２により形成される管の巻数よりも多くなる。このため、把持部に十分な長さを設けつつ、強度を増すことが可能となる。すなわち、毛細管４０は、毛細管１０と比し、操作者がより扱いやすいものとなる。
【００３４】
図１０は、図４に示されるシート状部材のその他の例を示す図である。図１０に示されるシート状部材は、所定の大きさの略矩形の領域１に加え、毛細管の高さ方向にＨ２、及び、円周方向にＬ２の領域２を含む。図１０では、具体例として、シート状部材がＬ型に成形される場合を示す。図１０において、領域１の端部、及び、領域１と領域２との境界に撥水ラインが引かれる。なお、領域１の全体に撥水剤が塗布されてもよい。
【００３５】
図１１は、図１０に示されるシート状部材を、領域２が存在する側の端部から、すなわち図１０に示される右側から巻き回してなる毛細管５０の断面を示す模式図である。図１０及び図１１において、毛細管５０に吸引される試料の採取量は、高さＨ２及び幅Ｌ２から求められる。例えば、領域２が２巻されて毛細管５０が作成される場合、毛細管５０のうち、領域２により形成される管の内径ｄ２は、幅Ｌ２を用いて、ｄ２＝Ｌ２／２πとなる。これにより、毛細管４０に吸引される試料の採取量は、領域２の端部から撥水ライン５１までの高さＨ２を用い、（Ｌ２２・Ｈ２）／１６πとなる。また、図１１に示される毛細管５０によれば、領域１により形成される管の巻数は、領域２により形成される管の巻数よりも多くなる。このため、把持部に十分な長さを設けつつ、強度を増すことが可能となる。すなわち、毛細管５０は、毛細管１０と比し、操作者がより扱いやすいものとなる。
【００３６】
図１２は、図４に示されるシート状部材のその他の例を示す図である。図１２に示されるシート状部材は、所定の大きさの略矩形の領域１に加え、毛細管の高さ方向にＨ３、及び、円周方向にＬ３の領域２を含む。図１２では、具体例として、シート状部材がＬ型に成形される場合を示す。図１２において、領域１の端部、及び、領域１と領域２との境界に撥水ラインが引かれる。なお、領域１の全体に撥水剤が塗布されてもよい。
【００３７】
図１３は、図１２に示されるシート状部材を、領域２が存在する側の端部から、すなわち図１２に示される右側から巻き回してなる毛細管６０の断面を示す模式図である。図１３では、領域２が０．５巻されて毛細管６０が作成される場合を示す。このとき、領域２からは管は形成されず、領域２に相当するシートのみにより試料が吸引されることとなる。また、図１３に示される毛細管６０によれば、領域１により形成される管の巻数を増大させることが可能であるため、把持部に十分な長さを設けつつ、強度を増すことが可能となる。すなわち、毛細管６０は、毛細管１０と比し、操作者がより扱いやすいものとなる。
【００３８】
図８、図１０及び図１２に示されるシート状部材は、操作者が所望する試料の採取量に応じて選択されるようにして構わない。このとき、図１０に示されるシート状部材により形成される毛細管５０が吸入可能な試料の量は、図８に示されるシート状部材により形成される毛細管４０が吸入可能な試料の量よりも微量なものとなる。また、図１２に示されるシート状部材により形成される毛細管６０が吸入可能な試料の量は、図１０に示されるシート状部材により形成される毛細管５０が吸入可能な試料の量よりも極微量なものとなる。
【００３９】
また、第１の実施形態では、図５において、試料採取具が毛細管１０及び注入具２０を有する場合を例に説明したが、これに限定されない。試料採取具は、毛細管１０からなるようにしても構わない。
【００４０】
（第２の実施形態）  
第１の実施形態では、試料採取具が、毛細管１０，４０，５０，６０、及び、注入具２０を有する場合を例に説明した。第２の実施形態では、試料採取具が毛細管７０を有する場合について説明する。
【００４１】
図１４は、第２の実施形態に係る毛細管７０の例を示す模式図である。図１５は、図１４に示される毛細管７０を形成するシート状部材を示す模式図である。
【００４２】
図１５に示されるシート状部材は、略矩形に成形される。シート状部材は、水分散性を有する物質、例えば、紙である。シート状部材は、毛細管７０が試料を吸引する様子、及び、シート状部材が試料を吸引する様子が透けて見えるように、極力薄い素材からなる。シート状部材の巻数は、毛細管７０が試料を吸引する様子、及び、シート状部材が試料を吸引する様子が透けて見えるように、円錐状の先端部における巻数が１〜２巻程度が好ましい。
【００４３】
シート状部材は、１つの頂点から所定の距離だけ離間した位置に撥水剤により線７１が引かれる。撥水剤による線を以下では撥水ライン７１と称する。撥水ライン７１は、墨壺のようなデバイスを用いてシート状部材に書かれてもよいし、印刷機によりシート状部材に印刷されてもよい。
【００４４】
撥水ライン７１は、図１４に示される毛細管７０を形成した際に撥水ライン７１が毛細管７０の内壁を環状に取り囲むように、シート状部材に引かれるのが望ましい。このように撥水ライン７１を引くことで、撥水ライン７１と、シート状部材とで略円錐形状の管が設けられることになる。撥水ライン７１は、シート状部材の面のうち、毛細管７０の内壁側の面のみに引かれてもよいし、両側の面に引かれてもよい。
【００４５】
なお、撥水剤は、必ずしもシート状部材に線状に塗布される必要はない。例えば、撥水剤は、撥水ライン７１が引かれる位置から、撥水ライン７１を引く際に基準となった頂点と対向する頂点までの領域全体に塗布されても構わない。このとき、撥水剤は、シート状部材の面のうち、毛細管７０の内壁側の面のみに塗布されてもよいし、両側の面に塗布されてもよい。
【００４６】
シート状部材は、撥水ライン７１を引く際に基準とした頂点が円錐の頂点となるように、図１６に示されるように円錐状の治具に巻き込まれる。シート状部材は、治具に装着された状態で、図１５において一点鎖線により示される部分が刃物で切り離される。これにより、図１４に示される毛細管７０が作成される。
【００４７】
図１４に示される毛細管７０では、円錐状の先端から撥水ライン７１までの円錐台の部分が試料保持部であり、撥水ライン７１から円錐状の底面までの部分が把持部である。試料保持部は、毛細管７０による毛細管現象と、シート状部材そのものによる毛細管現象とを利用して試料を保持する。すなわち、上記円錐台の体積が試料の採取量となる。このため、撥水ライン７１の位置、円錐台の上部の円の直径、及び、円錐台の下部の円の直径を変化させることで、採取量を調整することが可能である。
【００４８】
使用者は、毛細管７０における円錐状の先端を血液に接触させる。毛細管７０は、血液を毛細管７０内及びシート状部材内に吸引する。シート状部材は薄い素材であるため、使用者は、血液が毛細管７０の下端から浸潤する様子を観察することが可能である。血液が毛細管７０における円錐状の先端から撥水ライン７１まで吸引されると、それ以上は吸引されない。使用者は、血液が撥水ライン７１まで達すると、毛細管７０を血液から離す。
【００４９】
以上のように、第２の実施形態では、毛細管７０は、水分解性を有するシート状部材を、毛細管現象を発現可能な円錐形状に巻き回してなる。これにより、毛細管７０が試料を吸引する際、吸引した試料により毛細管７０が染色されることとなり、試料採取具の操作者は、試料の吸引状況及び吸引量を目視で確認することが可能となる。
【００５０】
また、シート状部材は、円錐状の先端から所定距離だけ離間した位置に撥水剤が塗布されるようにしている。これにより、毛細管７０による試料の吸引は撥水剤が塗布された位置で自動的に停止するため、操作者は、試料の吸引を終了させるための特別な作業が不要となる。
【００５１】
したがって、第２の実施形態に係る毛細管７０は、単純な構造で、操作者の特別な操作がなくても、予め設定される微量な量の試料を自動的に吸引することができる。また、この毛細管を用いる試料採取具についても、操作者の特別な操作がなくても、予め設定される微量な量の試料を自動的に吸引することができる。
【００５２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５３】
１…試料採取器、１０，４０，５０，６０，７０…毛細管、１１，４１，５１，６１，７１…撥水ライン、２０…注入具、２１…嵌着部、２２…フィルタ、２３…挿嵌穴、２５…試薬シート、２６…吐出口、３０…容器、３１…開口部、３２…上面、３３…内壁面
【図１】
0006622050.tif 000002
【図２】
0006622050.tif 000003
【図３】
0006622050.tif 000004
【図４】
0006622050.tif 000005
【図５】
0006622050.tif 000006
【図６】
0006622050.tif 000007
【図７】
0006622050.tif 000008
【図８】
0006622050.tif 000009
【図９】
0006622050.tif 000010
【図１０】
0006622050.tif 000011
【図１１】
0006622050.tif 000012
【図１２】
0006622050.tif 000013
【図１３】
0006622050.tif 000014
【図１４】
0006622050.tif 000015
【図１５】
0006622050.tif 000016
【図１６】
0006622050.tif 000017